【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
体液から、少なくとも１の成分を選択的に結合し、且つ分離するための方法であって、以下のステップ：
全血などの体液を、硬質一体型分離マトリックスを、該マトリックスによって排除されることなく通過させ、ここで、前記マトリックスが５ミクロン〜５００ミクロンの範囲の孔サイズ、並びに０．５cm2〜１０m2の範囲の活性表面を有する多孔質構造を有し；
少なくとも１つの体液成分を、前記マトリックスに配置された少なくとも１つの官能基によって結合する；
を含み、ここで、前記マトリックスが、以下の：焼結、型成形、及び発泡法からなる群から選ばれる方法によって得られる、前記方法。
【請求項２】
以下のステップ：
前記少なくとも１つの官能基を前記多孔質構造に配置するために、前記マトリックスの前記多孔質構造をコーティング又は表面修飾し、これによって、前記少なくとも１つの官能基が、単独で又は前記多孔質構造の非機能付加領域とともに、前記少なくとも１つの成分を結合可能である、；
を含む、請求項１に記載の方法。
【請求項３】
前記マトリックスが、以下の：金属、無機酸化物、カーボン、ガラス、セラミック、合成ポリマー、及び天然ポリマー、並びにそれらの混合物から成る群から選ばれる物質から作られる、請求項１に記載の方法。
【請求項４】
前記マトリックスが強磁性金属である、請求項３に記載の方法。
【請求項５】
前記物質上に、合成又は天然ポリマーがコーティングされる、請求項３または４に記載の方法。
【請求項６】
前記合成ポリマーが、以下の：ポリオレフィン、ビニルポリマー、フッ素含有ポリマー、ポリアクリレート、ポリアミド、ポリイミド、ポリイミン、ポリスチレン及びそれらのコポリマー、シリコンゴム、ポリエステル、ポリカーボネート、ポリウレタン、ポリスルホネート、ポリグリコール、ポリエーテル、及びポリアルキレンオキサイド、並びにそれらのコポリマー及びハイブリッドからなる群から選ばれる、請求項３又は５に記載の方法。
【請求項７】
前記天然ポリマーが、以下の：ポリサッカライド、ポリ炭化水素、ポリアミノ酸、ポリ乳酸、及びポリグリコール酸、並びにそれらのコポリマー及びハイブリッドからなる群から選ばれる、請求項３又は５に記載の方法。
【請求項８】
前記表面修飾が、以下の：電着、電気蒸着、プラズマ化学沈着、イオンプラズマ流からの沈着、プラズマ重合、プラズマにより促進された表面ポリマー沈着、及び化学蒸着からなる群から選ばれる、請求項２に記載の方法。
【請求項９】
前記少なくとも１つの官能基が、以下の：スルフヒドリル、カルボキシレート、アミン、アルデヒド、ケトン、ヒドロキシル、ハロゲン、ヒドラジド、及び活性水素からなる群から選ばれる、請求項２に記載の方法。
【請求項１０】
リガンドが、前記少なくとも１つの官能基に共有結合で結合されている、請求項２に記載の方法。
【請求項１１】
前記リガンドが、以下の：タンパク質、ペプチド、抗体及びそれらの断片、炭化水素、ポリサッカライド、ホルモン、抗酸化物質、糖タンパク質、リポタンパク質、脂質、脂溶性ビタミン、胆汁酸、反応性色素、アラントイン、尿酸及びポリミキシン、並びにそれらの組み合わせからなる群から選ばれる、請求項１０に記載の方法。
【請求項１２】
クロスリンカーが前記少なくとも１つの官能基及び前記リガンドの間に共有結合で結合されている、請求項１０又は１１に記載の方法。
【請求項１３】
前記クロスリカーが、以下の：ホモ二機能性、ヘテロ二機能性、及び三機能性のクロスリンカーからなる群から選ばれる、請求項１２に記載の方法。
【請求項１４】
前記クロスリンカーが、スペーサーとして、前記少なくとも１つの官能基及び前記リガンドの間に共有結合で結合されている、請求項１２又は１３に記載の方法。
【請求項１５】
前記スペーサーが、以下の：シラン、ジイソシアネート、グリコレート、ポリエチレングリコール、サクシニミジル試薬、ジヒドラジン、アジピン酸、ジアミン、アミノ酸、オリゴアミノ酸、ポリアミノ酸、ペプチド、及びタンパク質からなる群から選ばれる、請求項１４に記載の方法。
【請求項１６】
前記分離マトリックスが、以下の：ディスク、ロッド、シリンダー、リング、球、管、及び中空の管からなる群から選ばれる形状を有する、請求項１に記載の方法。
【請求項１７】
前記孔サイズが、５０ミクロン〜５００ミクロンである、請求項１〜１６のいずれか１項に記載の方法。
【請求項１８】
以下の：
（１）ハウジング；
（２）入り口；
（３）出口；及び
（４）前記少なくとも１つの分離マトリックス（５ａ、５ｂ、…）；
を含む装置中で実施される、請求項１〜１７のいずれか１項に記載の方法。
【請求項１９】
前記装置が、少なくとも２つの分離マトリックス（５ａ、５ｂ、…）を有し、ここで、各分離マトリックスが、体液から少なくとも１つの成分を選択的且つ別々に除去する、請求項１８に記載の方法。
【請求項２０】
前記少なくとも２つの分離マトリックス（５ａ、５ｂ、…）が、体液から少なくとも２つの成分を除去する、請求項１９に記載の方法。
【請求項２１】
体液から、第一の分離マトリックスが第一の成分を除去し、そして第二の分離マトリックスが第二の成分を除去する、請求項２０に記載の方法。
【請求項２２】
前記マトリックスの少なくとも１つが、５０ミクロン〜５００ミクロンの孔サイズを有する、請求項１９、２０又は２１に記載の方法。
【請求項２３】
前記装置を通過する流速が、５ｍｌ／時間〜６０００ｍｌ／分の範囲である、請求項１６〜２２のいずれか１項に記載の方法。
【請求項２４】
成分をこれを含む水性溶液から除去するための、支持体上に固定された胆汁酸部分の使用。
【請求項２５】
前記胆汁酸部分が、デオキシコール酸部分である、請求項２４に記載の使用。
【請求項２６】
以下の：
（１）ハウジング；
（２）入り口；
（３）出口；及び
（４）少なくとも１つの分離マトリックス（５ａ、５ｂ、…）；
を含む、体液から少なくとも１つの成分を選択的に結合し、且つ除去するための請求項１〜２１に記載の方法のための装置であって、ここで、前記マトリックスが、そこを前記血液又は体液を排除されることなく通過させるために硬質且つ一体型であり、前記マトリックスが、５ミクロン〜５００ミクロンの範囲の孔サイズ並びに前記少なくとも１つの成分を結合可能な０．５cm2〜１０m2の範囲の活性表面を有する多孔質構造を有し、さらにここで、前記分離マトリックスが以下の：焼結、型成形、又は発泡法からなる群から選ばれる方法によって得られる、前記装置。
【請求項２７】
前記マトリックスが、５０ミクロン〜５００ミクロンの孔サイズを有する、請求項２６に記載の装置。
【請求項２８】
それぞれが全血又は体液から少なくとも１つの成分を選択的且つ別々に除去する、少なくとも２つの分離マトリックス（５ａ、５ｂ、…）を有する、請求項２６又は２７に記載の装置。
【請求項２９】
前記少なくとも２つの分離マトリックス（５ａ、５ｂ、…）が、少なくとも２つの成分を体液から除去する、請求項２８に記載の装置。
【請求項３０】
体液から、第一の分離マトリックスが第一の成分を除去し、そして第二の分離マトリックスが第二の成分を除去する、請求項２９に記載の装置。
【請求項３１】
前記マトリックスの少なくとも１つが、５０ミクロン〜５００ミクロンの孔サイズを有する、請求項２８、２９又は３０に記載の装置。
【請求項３２】
前記分離マトリックスが、以下の：ディスク、ロッド、シリンダー、リング、球、管、及び中空の管からなる群から選ばれる形状を有する、請求項２６〜３１のいずれか１項に記載の装置。
【請求項３３】
前記分離マトリックスが、いくつかのディスクであって、上記体液が１つのディスクを通過しそして次のディスクの表面全体上へ流れ出るように、流れ方向に順次配置されている、前記ディスクを含む、請求項２６〜３２のいずれか１項に記載の装置。
【請求項３４】
以下の：電着、電気蒸着、プラズマ化学沈着、イオンプラズマ流からの沈着、プラズマ重合、プラズマにより促進された表面ポリマー沈着、及び化学蒸着からなる群から選ばれる方法により表面修飾が達成されている、請求項２６〜３３のいずれか１項に記載の方法。
【手続補正２】
【補正対象書類名】明細書
【補正対象項目名】００３６
【補正方法】変更
【補正の内容】
【００３６】
本発明において使用されるマトリックスのための好適な合成ポリマーは、ポリエチレン、ポリプロピレン、ポリブチレン、ポリメチルペンテン、及びエチレンビニルアセテートコポリマーのようなポリオレフィン；ポリビニルアルコール、ポリビニルアセタール、及びポリビニルピロリドンのようなビニルポリマー；ポリテトラフルオロエチレン、エチレン−プロピレンコポリマーフッ化物、ポリクロロフルオロエチレン、ポリビニルフルオライド、及びポリビニリデンフルオライドのようなフッ素含有ポリマー；ポリメチルメタクリレート、シアノアクリレート、ポリアクリロニトリル、及びポリメタクリレートのようなポリアクリレート；ポリアクリルアミドのようなポリアミド；ポリエチレンイミンのようなポリイミド；ポリスチレン及びアクリロニトリル−ブタンジエン−スチレン−ポリマーのようなポリスチレン及びそのコポリマー；シリコンゴム；ポリエステル／エーテル；ポリカーボネート；ポリウレタン；ポリスルホネート；ポリグリコール；ポリエチレンオキサイド、ポリプロピレンオキサイドのようなポリアルキレンオキサイド；並びにそれらのコポリマー又はハイブリッドである。